(57)【特許請求の範囲】
【請求項１】
少なくとも座板と背板の間の屈曲角度を調整可能な屈曲部を有する医療用診療台と、該医療用診療台に載置される医療実習用の擬似患者体とで構成する医療用実習装置であって、
制御部が前記医療用診療台に対して移動可能に配置され、
前記疑似患者体に、前記屈曲部の屈曲に対応して可動する可動部と、前記可動部を駆動する駆動部と、前記制御部から前記駆動部に対して駆動源を供給する駆動源供給管路及び前記制御部からの制御信号を通信する通信ケーブルが接続される接続コネクタとが備えられるとともに、
前記疑似患者体における、前記医療用診療台の診療台載置許容面と当接する当接部分に、前記医療用診療台と係着する係着手段が備えられ、
前記医療用診療台の診療台載置許容面における前記当接部分に対応する当接対応部分に備えられ、前記係着手段に係着する被係着手段を、被係止手段で構成するとともに、
前記医療用診療台に載置され、前記係着手段により係着された前記疑似患者体の前記係着手段による係着が解除され、前記疑似患者体が取り外された前記被係止手段の不使用時に、前記診療台載置許容面から前記被係止手段を露出させない挿入ブロック、蓋、シャッター、カバー部材のうちのいずれかひとつで構成する露出回避手段が備えられ、
前記係止手段と前記被係止手段との係止が解除された前記疑似患者体を取り外すことで前記医療診療台を通常の医療用診療台として使用可能とすることを特徴とする
医療用実習装置。
【請求項２】
請求項１に記載の医療用実習装置に使用する医療用診療台であって、
前記被係止手段を、前記診療台載置許容面の幅方向中央部に長手方向に連続して設けたループ状面ファスナで構成し、
前記係止手段を、フック状面ファスナで構成した
医療用診療台。
【請求項３】
請求項１に記載の医療用実習装置に使用する医療用診療台であって、
前記被係止手段を、前記診療台載置許容面の幅方向に配置した被係止溝部で構成し、前記係止手段を、前記被係止溝部に対応する係止レールで構成した
医療用診療台。
【発明の詳細な説明】
【技術分野】
【０００１】
本発明は、医療教育、特に歯科医療の教育において、切削等の実習教育に用いる医療実習用の擬似患者体を載置可能な医療用診療台、擬似患者体と医療用診療台とで構成する医療用実習装置に関する。
【背景技術】
【０００２】
近年、医療教育、特に歯科医療の教育では、人体頭部模型等に植立させた歯牙に対して切削等を行うような実習教育が行われており、様々な医療用実習装置が提案されている。
【０００３】
例えば、特許文献１では、頭部模型を有する擬似患者体に対する治療状態を擬似患者体の口内などに設けたセンサで検出して、擬似患者体の目、瞼などを駆動制御することにより実際の患者の動き、表情を再現させる医療用シミュレータが提案されている。  
しかしながら、上述の医療用シミュレータは、頭部だけであり、実際の臨床からかけ離れており臨場感がないため、実習教育としては十分な効果を得ることができなかった。
【０００４】
そこで、特許文献２では、診療状態に応じて、表情を変化させる擬似患者体駆動手段を内蔵するとともに、目、鼻および口腔を有する頭部模型と、胴体模型と、腕模型と、脚部模型とで構成した擬似患者体を、医療用診療台に載置する医療用実習装置が提案されている。
【０００５】
このように、表情を変化させる擬似患者体駆動手段を内蔵するとともに、目、鼻および口腔を有する頭部模型を備えたことにより、診療台の姿勢、器具の動作、及び擬似患者体の受診状態に基づいて、擬似患者体の表情を変化させることで、実際の臨床に近い臨場感のある実習を行うことができるとされている。
【０００６】
しかし、通常の医療用診療台は、背板と座板との屈曲角度を調整可能に構成しているため、座板に対する背板の起伏角度を調整した際に擬似患者体が患者体の体軸方向、つまり身長方向に位置ズレするおそれがあり、起伏角度を調整しながらの実際の臨床に近い臨場感のある実習では、安心して施術できないおそれがあった。
【先行技術文献】
【特許文献】
【０００７】
【特許文献１】特開２００４−２３３５８５号公報
【特許文献２】国際公開第２００８／０２３４６４号
【発明の概要】
【発明が解決しようとする課題】
【０００８】
そこで本発明は、屈曲角度を調整可能な屈曲部を有する医療用診療台に載置し、実際の臨床に近い臨場感のある実習を位置ズレすることなく、安心して行うことのできる医療用診療台、及び医療用実習装置を提供することを目的とする。
【課題を解決するための手段】
【０００９】
この発明は、少なくとも座板と背板の間の屈曲角度を調整可能な屈曲部を有する医療用診療台と、該医療用診療台に載置される医療実習用の擬似患者体とで構成する医療用実習装置であって、制御部が前記医療用診療台に対して移動可能に配置され、前記疑似患者体に、前記屈曲部の屈曲に対応して可動する可動部と、前記可動部を駆動する駆動部と、前記制御部から前記駆動部に対して駆動源を供給する駆動源供給管路及び前記制御部からの制御信号を通信する通信ケーブルが接続される接続コネクタとが備えられるとともに、前記疑似患者体における、前記医療用診療台の診療台載置許容面と当接する当接部分に、前記医療用診療台と係着する係着手段が備えられ、前記医療用診療台の診療台載置許容面における前記当接部分に対応する当接対応部分に備えられ、前記係着手段に係着する被係着手段を、被係止手段で構成するとともに、前記医療用診療台に載置され、前記係着手段により係着された前記疑似患者体の前記係着手段による係着が解除され、前記疑似患者体が取り外された前記被係止手段の不使用時に、前記診療台載置許容面から前記被係止手段を露出させない挿入ブロック、蓋、シャッター、カバー部材のうちのいずれかひとつで構成する露出回避手段が備えられ、前記係止手段と前記被係止手段との係止が解除された前記疑似患者体を取り外すことで前記医療診療台を通常の医療用診療台として使用可能とすることを特徴とする。
【００１０】
上記屈曲角度は、座板に対する背板、あるいは背板に対するヘッドレストの角度であり、上記屈曲角度を調整可能な屈曲部は、座板と背板、あるいは背板とヘッドレストとの間の部分とすることができる。
【００１１】
上述の前記屈曲部の屈曲に対応して可動する可動部は、座板と背板との屈曲部に対応する腰部、あるいは背板とヘッドレストとの屈曲部に対応する頸椎部、さらには、これらの両方とすることができる。
【００１２】
上述の前記医療用診療台における診療台載置許容面と当接する当接部分は、仰向け姿勢で載置する擬似患者体における背面側であり、詳しくは、座板に当接する太腿部、座板と背板との屈曲部に当接する臀部、背板に当接する腰部、背中部または二の腕部、ヘッドレストに当接する後頭部、肘掛に当接する前腕部、あるいはこれらの組み合わせとすることができる。
【００１３】
前記係着手段は、医療用診療台の屈曲部の屈曲による位置ズレを防止するための手段であり、屈曲方向に沿った平面、つまり医療用診療台の長手方向に沿った垂直面に略一致する体軸方向に少なくとも係着できればよく、さらには脱着可能に係着できればよい。そのため、前記係着手段は、例えば、医療用診療台の凹部（凸部）と嵌合する凸部（凹部）、粘着シート、剥離可能な接着剤、後述する係止手段、医療用診療台における診療台載置許容面に対して吸着する吸盤、あるいは医療用診療台に対して吸着する永久磁石や電磁石等とすることができる。
【００１４】
上記係止手段及び被係止手段は、例えば、当接部分に備えたフックと当接対応部分においてフックの係止を許容する部分、面ファスナ、線状のファスナ、ホックボタン、スナップボタン、当接対応部分において体軸方向に交差する方向に配置した被係止溝と当該被係止溝に係止する当接部分に備えた係止凸部、当接対応部分において体軸方向に交差する方向に配置した被係止レールと当該被係止レールに係止する当接部分に備えた係止凹部等とすることができる。
【００１５】
上記駆動部は、座板と背板との屈曲部に対応する腰部、あるいは背板とヘッドレストとの屈曲部に対応する頸椎部、さらには、これらの両方で構成する可動部を駆動するだけでなく、擬似患者体の表情を変化させるための目、瞼、顎などを駆動する駆動部、さらには意思表示するための上肢などの可動部を駆動させてもよい。  
なお、駆動源とは、電気的な駆動部を駆動させるための電力、あるいは、空気圧等の流体圧力によって駆動する駆動部に対する流動体とすることができる。
【００１６】
前記被係着部は、医療用診療台の屈曲部の屈曲による擬似患者体の位置ズレを防止するための手段である係着手段の係着を許容する部分であり、脱着可能に係着できればよい。そのため、前記被係着部は、例えば、擬似患者体に形成した嵌合する凸部（凹部）、粘着シート、剥離可能な接着剤、後述する係止手段等などの係着手段が係着できる部分とすることができる。
【００１７】
上記露出回避手段は、診療台載置許容面に設けた被係止手段を覆って外観上露出させない手段、診療台載置許容面に設けた被係止手段を引っ込めて外観上露出させない手段、診療台載置許容面に対して取り外し可能に被係止手段を構成し、取り外すことによって不使用時に露出させない被係止手段、あるいは被係止手段が形成され、交換可能に構成された座板または背板自体を、被係止手段を備えていない座板または背板に交換する等で構成することができる。
【００１８】
この発明により、屈曲角度を調整可能な屈曲部を有する医療用診療台に擬似患者体を載置し、実際の臨床に近い臨場感のある実習を位置ズレすることなく、安心して行うことができる。
【００１９】
詳述すると、屈曲角度を調整可能な屈曲部を有する医療用診療台に載置された擬似患者体は、前記屈曲部の屈曲に対応して可動する可動部を有するため、例えば座板に対して背板を起こしたり、寝かしたりして、実際の臨床に近い臨場感のある実習を行うことができる。
【００２０】
しかしながら、例えば座板に対して背板を起こしたり、寝かしたりすると、実際の患者は無意識に位置がずれない様に踏ん張ったり、肘掛部を持ったりするため位置ズレすることはないが、前記医療用診療台における診療台載置許容面に載置された擬似患者体は、体軸方向に位置ズレする可能性がある。そこで診療台載置許容面に当接する当接部分に、前記医療用診療台に係着する係着手段が備えられたことにより、例えば座板に対して背板を起こしたり、寝かしたりしても、医療用診療台に対して擬似患者体が位置ズレすることなく、安心して実習することができる。
【００２１】
また、係着手段が備えられたことにより、例えばボルト等の締結手段で、載置した擬似患者体と医療用診療台とを接続固定する場合と比べて、容易に擬似患者体を取り換えることができる。したがって、例えば、成人型の擬似患者体、老人型の擬似患者体、子供型の擬似患者体のように、複数種類の擬似患者体を用意し、実習目的に応じて適した擬似患者体を容易に交換し、実習に用いることができ、利用者の満足度を向上することができる。
【００２２】
また、前記可動部を駆動する駆動部と、該駆動部を制御する制御部とが備えられ、前記駆動部に対して駆動源を供給するとともに、前記制御部に対して制御信号を通信し、前記医療用診療台に備えた診療台側コネクタに対して接続許容する接続コネクタが備えられることにより、さらに実際の臨床に近く、より臨場感のある実習をより確実に位置ズレすることなく、安心して行うことができる。
【００２３】
詳しくは、前記可動部を駆動する駆動部と、該駆動部を制御する制御部とが備えられたことにより、制御部によって制御された駆動部によって可動部が駆動するため、治療に対する反応等を表現でき、さらに実際の臨床に近く、より臨場感のある実習をより確実に位置ズレすることなく、安心して行うことができる。
【００２４】
また、前記駆動部に対して駆動源を供給するとともに、前記制御部に対して制御信号を通信し、前記医療用診療台に備えた診療台側コネクタに対して接続許容する接続コネクタが備えられたことにより、診療台側コネクタに接続された接続コネクタを取り外すことで、容易に擬似患者体を外すことができる。したがって、例えば、実習目的に応じた擬似患者体を容易に交換することができる。
【００２５】
また、前記医療用診療台における前記診療台載置許容面に配置された前記診療台側コネクタに対して接続許容する前記接続コネクタが、前記当接部分に配置されることにより、接続状態にある診療台側コネクタと接続コネクタとが、診療台載置許容面と当接部分との間に配置され、医療用診療台に擬似患者体を載置した状態において、外観上露出しないため、実習の臨場感を向上することができる。
【００２６】
また、屈曲角度を調整可能な屈曲部を有し、医療実習用の擬似患者体を載置可能な医療用診療台として、前記屈曲部の屈曲に対応して可動する可動部を有する前記擬似患者体において、診療台載置許容面と当接する当接部分に備えた係着手段の係着を許容する被係着部を備えたことにより、屈曲角度を調整可能な屈曲部を有する医療用診療台に擬似患者体を載置し、実際の臨床に近い臨場感のある実習を位置ズレすることなく、安心して行うことができる。
【００２７】
また、被係着部が備えられたことにより、例えばボルト等の締結手段で、載置した擬似患者体と医療用診療台とを接続固定する場合と比べて、容易に擬似患者体を取り換えることができる。したがって、例えば、成人型の擬似患者体、老人型の擬似患者体、子供型の擬似患者体のように、複数種類の擬似患者体を用意し、実習目的に応じて適した擬似患者体を容易に交換し、実習に用いることができ、利用者の満足度を向上することができる。
【００２８】
また、前記被係着部を、前記当接部分に備えられ、前記係着手段を構成する係止手段と係止する被係止手段で構成し、該被係止手段を、前記診療台載置許容面において前記当接部分に対応する当接対応部分に配置されることにより、屈曲角度を調整可能な屈曲部を有する医療用診療台に擬似患者体を載置し、例えば座板に対して背板を起こしたり、寝かしたりする実際の臨床に近い臨場感のある実習をより確実に位置ズレすることなく、安心して行うことができる。
【００２９】
また、前記被係止手段の不使用時に、前記診療台載置許容面から前記被係止手段を露出させない露出回避手段が備えられることにより、実習を行わないときには、医療用診療台を通常の施術用の医療用診療台として用いることができる。したがって、医療用診療台を実習用のみならず通常の施術用としても用いることができ、医療用診療台の利用率を向上させ、無駄を省くことができる。
【００３０】
またこの発明は、上述の医療用実習装置に使用する医療用診療台であって、前記被係止手段を、前記診療台載置許容面の幅方向中央部に長手方向に連続して設けたループ状面ファスナで構成し、前記係止手段を、フック状面ファスナで構成したことを特徴とする。
【００３１】
この発明により、簡易な構造かつ安価で、実際の臨床に近い臨場感のある実習をより確実に位置ズレすることなく、安心して行うことができる。また、被係止手段を構成するループ状面ファスナ、係止手段を構成するフック状面ファスナはともに、可撓性を有する面状体であるため、診療台載置許容面のクッション性を損なうことなく、医療用診療台に対して擬似患者体をしっかりと載置することができる。さらには、通常の施術用に医療用診療台を用いる場合においても、被係止手段を構成するループ状面ファスナによる座り心地の悪さが生じることを防止できる。
【００３２】
また、ループ状面ファスナで構成する被係止手段を、当接対応部分において、デザイン性高く配置することによって、診療台載置許容面のデザイン性を向上することができる。
【００３３】
またこの発明は、上述の医療用実習装置に使用する医療用診療台であって、前記被係止手段を、前記診療台載置許容面の幅方向に配置した被係止溝部で構成し、前記係止手段を、前記被係止溝部に対応する係止レールで構成したことを特徴とする。
【発明の効果】
【００３４】
本発明により、屈曲角度を調整可能な屈曲部を有する医療用診療台に載置し、実際の臨床に近い臨場感のある実習を位置ズレすることなく、安心して行うことのできる医療用診療台、及び医療用実習装置を提供することができる。
【図面の簡単な説明】
【００３５】
【図１】医療用実習装置の斜視図による説明図。
【図２】医療用実習装置のブロック図。
【図３】医療用実習装置の概略断面図による説明図。
【図４】第２実施形態の医療用実習装置の斜視図による説明図。
【図５】第２実施形態の医療用実習装置の概略断面図による説明図。
【図６】第２実施形態における医療用実習装置として使用しない状態の医療用診療台の斜視図。
【図７】第３実施形態の医療用実習装置の概略断面図による説明図。
【図８】第４実施形態の医療用実習装置の斜視図による説明図。
【発明を実施するための形態】
【実施例１】
【００３６】
以下、本発明による医療用実習装置１について、図１乃至３とともに説明する。  
図１は医療用実習装置１の斜視図による説明図を示し、図２は医療用実習装置１のブロック図を示し、図３は医療用実習装置１の概略断面図による説明図を示している。
【００３７】
詳しくは、図１は擬似患者体２を診療台３の上方に配置した状態の医療用実習装置１の斜視図を示している。また、図３（ａ）は診療前ポジションにおける医療用実習装置１の概略断面図を示し、図３（ｂ）は診療中ポジションにおける医療用実習装置１の概略断面図を示している。
【００３８】
医療用実習装置１は、図１に示すように、女性患者を模した擬似患者体２と、擬似患者体２を載せて治療を行うための診療台３（医療用診療台に対応）と、ＧＵＩとして各種情報を表示し、擬似患者体２に対する各種指令を受け付ける情報処理装置４（制御部に対応）と、各種診療器具を備えた器具台（図示省略）とで構成されている。
【００３９】
なお、図示省略する器具台は、診療台３にアームを介して回動可能に取付けたテーブルの手前側に器具ホルダを備え、そこにエアータービンハンドピース、マイクロモータハンドピースなどの切削を行う診療器具やスケーラ、スリーウエイシリンジ、バキュームシリンジなどの各種診療器具を着脱可能に取付け、テーブルの上方には表示部を設けて、患者のカルテを呼出表示したり、実習中の診療器具の操作内容などがモニタできたりするように構成しており、それぞれの詳細な構成やバリエーションについては既に公知であるため、詳細の説明を省略する。
【００４０】
擬似患者体２は、頭部模型２ａと、胴体模型２ｂと、左右の腕模型２ｃと、左右の脚部模型２ｄとで構成し、その内部に、後述する擬似患者体２の姿勢、表情を変化させる擬似患者体駆動手段Ｄ、擬似患者体２に対する診療状態を検出する受診状態検出手段Ｃ（いずれも図２の機能ブロック図参照）を備えている。
【００４１】
なお、人体に酷似した外観にするため、擬似患者体２は、全体、あるいは衣服を着用させる場合には服から露出する部分を、人工皮膚で覆うとともに、頭部模型２ａに頭髪となるカツラを被せ、外観上女性患者に極めて酷似させた、いわゆるアンドロイド型のロボットとして構成している。
【００４２】
詳しくは、擬似患者体２は、上述したように、頭部模型２ａと、胴体模型２ｂと、左右の腕模型２ｃと、左右の脚部模型２ｄとで構成され、頭部模型２ａと胴体模型２ｂとの間、胴体模型２ｂと左右の脚部模型２ｄとの間、胴体模型２ｂと左右の脚模型２ｄとの間、さらには、左右の腕模型２ｃのひじ部、脚部模型２ｄのひざ部には、関節機構２１を設けて、人体の関節と同様な動きをなすように屈曲自在になっている。
【００４３】
可動部に対応する関節機構２１は、骨格を構成するため相互に枢着された２本の主ロッド（図示省略）に、エアシリンダ（図示省略）を付設し、エアシリンダのロッドを進退させることで、２本の主ロッドによって屈曲動作可能に構成している。
【００４４】
また、擬似患者体２の頭部模型２ａは、人体に酷似した外観にするため、上述したように、皮膚に似た柔らかさのシリコンゴムで形成した人工皮膚を顔面に被せるとともに、頭部に頭髪となるカツラが被せている。
【００４５】
また、擬似患者体２は、顔面の各部、眼球、瞼、眉毛、頬、口、唇、首２２を駆動する駆動手段の他、音声を出するために音声出力手段を備えており、これらそれぞれに備えた駆動手段（後述する擬似患者駆動手段Ｄ）を駆動することで、人に酷似した顔面表情を出している。さらに、頬には接触センサを備え、その検出信号は、後述する受診状態検出手段Ｃに送信する。
【００４６】
首２２は、頭部模型２ａと胴体模型２ｂとを前後、左右に傾倒可能に連結するジョイント機構を備えている。これにより、首２２は、ジョイント機構によって前後に+１０度から−３０度まで、左右に±４５度の範囲で傾倒でき、左右に±４５度の範囲で回動できるようになっている。
【００４７】
また、図示省略するが、頭部模型２ａに内蔵する顎模型は、上顎模型と下顎模型とを組み合わせて構成し、上顎模型や下顎模型には、歯牙が１本毎に交換可能に植立している。これによって、切削実習をした際に消耗した歯牙を交換したり、虫歯や歯石を付けた特別な歯牙に交換したりすることができる。また、顎模型は、子供用の小さい模型や、歯牙が植立されていない無歯顎の模型にも交換可能に構成している。
【００４８】
また、上顎模型や下顎模型は、実習時の処置、治療を検出するため、以下に示すような各種センサを備えている。より具体的には、診療器具が歯牙に接触したときの衝撃を検出する衝撃センサ、切削治療時に歯牙や上下顎に加えられる圧力を検出する圧力センサ、振動を検出する振動センサ、温度上昇（例えば、印象採得時、レーザ切削時など）を検出する温度センサ、歯牙の切削度合いを検出する導通あるいは抵抗値の変化を検出するセンサを設けている。そして、これらのセンサによって検出された受診状態検出信号は後述する制御手段Ｉ（図２におけるＣＰＵ）に送信され、実習時における擬似患者体２の受診状態が客観的に把握でき、受診データとして利用できる。これらのセンサは、受診状態検出手段Ｃにまとめられ、さらに診療状態検出信号として出力されて、情報処理装置４に送出される。
【００４９】
さらには、上述したような擬似患者体２における各種駆動手段を駆動するための駆動源であるエアーの供給を許容する駆動源供給管路２３と、後述する情報処理装置４と電気信号を通信する通信ケーブル２４とを、擬似患者体２の底面側、即ち擬似患者体２の背面側から延出している。なお、駆動源供給管路２３と通信ケーブル２４とには、後述する情報処理装置４の上面に備えた被接続コネクタ４３ａ，４４ａに接続する接続コネクタ２３ａ，２４ａを備えている。
【００５０】
また、診療台３において、後述する座部シート３ａ、背板シート３ｂ、及びヘッドレスト３ｃの少なくともいずれかの上面の一部を、擬似患者体２を載置する診療台載置許容面とした場合において、診療台載置許容面に当接する当接部分である胴体模型２ｂの背面側と、脚部模型２ｄの背面側の間の臀部対応部分２ｅには、係止手段に対応するフック状面ファスナ５１を備えている。フック状面ファスナ５１は、平面視略正方形状に形成された可撓性を有するシート状であり、後述する診療台３に備えたループ状面ファスナ５２（被係止手段に対応）と係止可能な面ファスナ５０（係着手段及び係止手段に対応）を構成している。
【００５１】
診療台３は、基台３０に昇降可能に載置された座部シート３ａと、その座部シート３ａの後方に連接された傾動可能な背板シート３ｂと、その背板シート３ｂの上端に連接された傾動可能なヘッドレスト３ｃとで構成している。なお、座部シート３ａと背板シート３ｂとの間、及び背板シート３ｂとヘッドレスト３ｃとの間は、他方に対して屈曲可能に構成している。
【００５２】
これらを診療状況に応じた最適位置に制御するため、図示省略する座部シート昇降手段、背板シート傾倒手段、ヘッドレスト傾倒手段等の油圧シリンダや電動モータ等によって駆動するシート駆動部を設け、フートコントローラ等の操作手段によって操作制御されるよう構成している。
【００５３】
また、座部シート３ａ、背板シート３ｂ、及びヘッドレスト３ｃにおいて、図１における上面を、診療台載置許容面として機能する載置許容面３１とし、座部シート３ａにおける背板シート３ｂ側に、上述のフック状面ファスナ５１と係止するループ状面ファスナ５２を備えている。なお、ループ状面ファスナ５２は、フック状面ファスナ５１と同様に、平面視正方形状に形成した可撓性のシート状体であるが、フック状面ファスナ５１に比べて、ひと回り大きな平面寸法で形成している。
【００５４】
情報処理装置４は、診療台３の近傍に擬似患者体制御操作部Ｇとして機能する移動可能な操作ボックス４０として配置され、ＰＣ本体を内蔵している。  
操作ボックス４０の上面には、液晶モニタ等の表示手段４１や、キーボード、マウス等の操作手段４２を設けている。
【００５５】
また、操作ボックス４０の上面には、操作ボックス４０内部から導出された擬似患者体駆動手段Ｄの駆動用作動媒体の流体（水、エア等）管路４３及び電気線束４４（流体的及び電気的駆動系）の先端に接合されたコネクタ部４３ａ，４４ａ（診療台側コネクタに対応）が取付けられている。
【００５６】
このように構成した情報処理装置４は、ＧＵＩとして、表示手段４１に各種の情報を表示し、キーボード、マウス等の操作手段４２で各種の指令を受け付ける。表示手段４１は、実習時の擬似患者体２の受診状況を表示したり、必要な情報を随時呼出して表示したりできる他、内蔵するＰＣ本体に特定のプログラムを格納し、それを稼動させることで、擬似患者体制御操作部（図２でＧで示す）としても作動し、後述する表情選択手段Ｇ２としての表情選択ボタンを表示手段４１に表示させて、実習教官が、実習者の状況を把握しながら、表情選択ボタンを選択操作することで、擬似患者体２の動作や、表情をコントロールできる。また、後述するように、表示手段４１に表示したセンサ選択ボタンを選択操作することによって、擬似患者体２の各部に内蔵した各種のセンサの出力を呼び出して、検知信号をモニタ表示することもできる。
【００５７】
このように構成した医療用実習装置１の機能構成について、医療用実習装置１の機能ブロック図を示す図２とともに、以下で説明する。  
医療用実習装置１は、制御手段（ＣＰＵ）Ｉと各機能実現手段Ａ〜Ｈ，Ｊ，Ｋとを直接信号線あるいは院内ＬＡＮなどで接続し、制御手段Ｉによって各機能ブロックＡ〜Ｈ，Ｊ，Ｋが制御される構成である。
【００５８】
姿勢検出手段Ａは、座部シート昇降検出手段Ａａ、背板シート傾倒検出手段Ａｂ、ヘッドレスト傾倒検出手段Ａｃを組み合わせて構成し、診療台３の診療時における制御状態を検出する。例えば、各検出手段は、角度検出センサやポテンショメータ等を有し、昇降量、傾倒量又は傾倒角度、駆動信号のオン、オフ等を検出する。
【００５９】
診療器具状態検出手段Ｂは、上述した診療器具駆動手段によって駆動される各診療器具、口腔カメラ、光重合照射器、フートコントローラの実習中の操作状態、つまり、オン、オフ、回転数、負荷などを検出する手段であり、エアータービンハンドピース状態検出手段Ｂａ、マイクロモータハンドピース状態検出手段Ｂｂ、スリーウエイシリンジ状態検出手段Ｂｃ、スケーラ状態検出手段Ｂｄ、バキュームシリンジ状態検出手段Ｂｅ、口腔カメラ状態検出手段Ｂｆ、光重合照射器状態検出手段Ｂｇ、フートコントローラ操作状態検出手段Ｂｈを組み合わせて構成している。
【００６０】
受診状態検出手段Ｃは、擬似患者体２に内蔵した各種センサや、診療時の状態を撮像する撮像手段で構成している。各種センサとしては、後述するように、擬似患者体２の、頬部に対する接触を検出する手段Ｃａ、胸に対する接触を検出する手段Ｃｂ、歯牙への衝撃や圧力を検出する手段Ｃｃ、歯牙の温度上昇を検出する手段Ｃｄ、麻酔部位を検出する手段Ｃｅ、首、腰、腕の回転角度検出手段Ｃｆ、撮像手段Ｃｇ、マイクＣｈなどを含み、これらのセンサや撮像手段、マイクによって、実習中に擬似患者体２に対して処置、治療時に与えられる刺激の有無、度合いを把握され、受診状態検出信号として出力する構成である。
【００６１】
擬似患者体駆動手段Ｄは、眼球駆動手段Ｄａ、瞼駆動手段Ｄｂ、眉毛駆動手段Ｄｃ、下顎駆動手段Ｄｄ、首駆動手段Ｄｅ、腕駆動手段Ｄｆ、音声出力手段Ｄｇなどを組み合わせて構成し、上述したように擬似患者体２の頭部模型２ａ，胴体模型２ｂ，腕模型２ｃ、脚部模型２ｄに組み込まれ、これらの駆動を組み合わせることによって擬似患者体２の顔面の表情、身体の動作などを実現している。  
記憶手段Ｅは、受診状態検出手段Ｃから出力された受診状態検出信号や、実習結果評価手段で使用される評価基準情報を記憶している。
【００６２】
実習結果評価手段Ｆは、実習者の診療行為が終了した後、予め記憶手段Ｅに記憶する評価基準と、診療器具状態検出手段Ｂで検出した診療器具状態検出信号及び又は受診状態検出手段Ｃで検出した受診状態検出結果とを比較し、所定のアルゴリズムに基づいて実習の評価結果を出力して、実習者の技能に応じてランク付けしたり、結果に応じて不適切な診療項目を情報処理装置４の表示手段４１や器具台の表示部（図示省略）に表示したりする構成である。
【００６３】
また、擬似患者体制御操作部Ｇは、擬似患者体２に組み込まれた擬似患者体駆動手段Ｄの動きを、擬似患者体２の姿勢、表情変化に対応させて記憶する記憶手段Ｇ１と、その記憶手段Ｇ１に記憶された表情変化を選択する表情選択手段Ｇ２とを備え、表情選択手段Ｇ２は表情選択ボタンを設け、例えば、擬似患者体２の嘔吐、苦痛、不安、リラックス、不快などの表情変化を再現できるように構成している。このような、擬似患者体制御操作部Ｇを設けることによって、実習者の診療行為が擬似患者体２の表情や身体の動作に自動的に反映される本来の制御動作に加えて、後述するように、実習教官が、実習者の状況を判断して、上記表示選択ボタンを選択操作し、擬似患者体２の表情をコントロールすることができる。
【００６４】
表示操作部Ｈは、表示手段Ｈａと、表示選択手段Ｈｂとを組み合わせて構成し、表示手段Ｈａは、情報処理装置４に設けた表示手段４１で構成され、表示選択手段Ｈｂは、受診状態検出手段Ｃの各センサの出力を選択する選択ボタンで構成され、マウスなどで選択する。
【００６５】
システム停止手段Ｊは、上述の通りシステム停止操作スイッチで構成され、このシステム停止操作スイッチの操作信号は、制御手段Ｉに入力され、制御手段Ｉはこの入力信号に基づき上記システムの停止制御を行うことができる。
【００６６】
擬似患者体脱力手段Ｋは、擬似患者体脱力操作スイッチで構成され、この擬似患者体脱力操作スイッチの操作信号は、制御手段Ｉに入力され、制御手段Ｉはこの入力信号に基づき、擬似患者体駆動手段Ｄを駆動するための作動媒体によって擬似患者体２に加わる力の全部又は一部を抜く制御を行う。
【００６７】
上述したように構成した本発明の医療用実習装置１は、診療台３に擬似患者体２を載置し、情報処理装置４で診療台３や擬似患者体２を制御しながら、実際の臨床に近い臨場感のある実習を行うことができる。
【００６８】
なお、診療台３の載置許容面３１に擬似患者体２を載置する際に、診療台３の座部シート３ａに備えたループ状面ファスナ５２と、擬似患者体２の臀部対応部分２ｅに備えたフック状面ファスナ５１とを係止させているため、例えば、図３（ａ）に示す診療前ポジションから図３（ｂ）に示す診療中ポジションに移行するため診療台３の背板シート３ｂを起こしたり、寝かしたりしても、擬似患者体２が位置ズレすることなく、安心して実習を行うことができる。
【００６９】
詳しくは、例えば、診療に応じて診療台３の座部シート３ａに対して背板シート３ｂを起こしたり、寝かしたりすると、実際の患者は無意識に位置がずれない様に踏ん張ったり、肘掛部を持ったりするため位置ズレすることはない。
【００７０】
しかしながら、擬似患者体２に関節機構２１を備えているため、座部シート３ａに対する背板シート３ｂの屈曲に追従して姿勢を変化することができるものの、診療台３における載置許容面３１に載置しただけでは、特に体軸方向に位置ズレする可能性がある。
【００７１】
そこで、擬似患者体２において載置許容面３１に当接する当接部分である臀部対応部分２ｅにフック状面ファスナ５１を備え、診療台３において臀部対応部分２ｅに対応する部分にループ状面ファスナ５２を備え、擬似患者体２を診療台３に載置するにあたり、擬似患者体２のフック状面ファスナ５１と診療台３のループ状面ファスナ５２とを係止させたことにより、診療前ポジション（図３（ａ））と診療中ポジション（図３（ｂ））とを移行するため座部シート３ａに対して背板シート３ｂを起こしたり、寝かしたりしても、診療台３に対して擬似患者体２が位置ズレすることなく、安心して実習することができる。
【００７２】
また、フック状面ファスナ５１とループ状面ファスナ５２とで構成する面ファスナ５０を備えたことにより、例えばボルト等の締結手段で、載置した擬似患者体２と診療台３とを接続固定する場合と比べて、容易に擬似患者体２を取り換えることができる。したがって、例えば、成人型の擬似患者体２、老人型の擬似患者体２、子供型の擬似患者体２のように、複数種類の擬似患者体２を用意し、実習目的に応じて適した擬似患者体２を容易に交換し、実習に用いることができ、利用者の満足度を向上することができる。
【００７３】
また、可撓性を有するシート状の面ファスナ５０で擬似患者体２と診療台３とを係止したため、診療台３の座部シート３ａや背板シート３ｂのクッション性を損なうことがなく、フック状面ファスナ５１を配置した擬似患者体２の臀部対応部分２ｅの形状に、診療台３においてループ状面ファスナ５２を配置した部分が追従する。したがって、フック状面ファスナ５１とループ状面ファスナ５２との係止面積を確保でき、しっかりと診療台３に対して擬似患者体２を係止することができる。
【００７４】
なお、面ファスナ５０のうち、擬似患者体２の臀部対応部分２ｅにフック状面ファスナ５１を備え、診療台３の座部シート３ａにループ状面ファスナ５２を備えたが、フック状面ファスナ５１を胴体模型２ｂの背面側、つまり診療台３の背板シート３ｂにおける載置許容面３１に当接する当接部分にフック状面ファスナ５１を備え、診療台３の背板シート３ｂにおいてフック状面ファスナ５１に対応する部分にループ状面ファスナ５２を備えてもよい。また、フック状面ファスナ５１を頭部模型２ａの後頭部側、つまり診療台３のヘッドレスト３ｃにおける載置許容面３１に当接する当接部分にフック状面ファスナ５１を備え、診療台３のヘッドレストシート３ｃにおいてフック状面ファスナ５１に対応する部分にループ状面ファスナ５２を備えてもよい。
【００７５】
さらには、フック状面ファスナ５１とループ状面ファスナ５２とで構成する面ファスナ５０のうち、擬似患者体２側にフック状面ファスナ５１を備え、診療台３側にループ状面ファスナ５２を備えたが、擬似患者体２にループ状面ファスナ５２を備え、診療台３にフック状面ファスナ５１を備えてもよい。しかしながら、フック状面ファスナ５１に比べて、肌触りのよいループ状面ファスナ５２を診療台３に配置しているため、例えば、診療台３に擬似患者体２を載置せず、診療台３に患者が座っても問題無く医療用実習装置１を通常の医療用診療台として用いることができる。
【００７６】
またループ状面ファスナ５２を、例えば、診療台３における載置許容面３１の幅方向中央において、長手方向に連続して配置してもよい。このように、ループ状面ファスナ５２を連続して配置することにより、ループ状面ファスナ５２が診療台３における載置許容面３１のデザイン性を向上することができるため、擬似患者体２を載置せず、診療台３を通常の医療用診療台として用いる場合であっても、違和感なく診療台３を用いることができる。
【００７７】
また、診療台３における載置許容面３１の幅方向中央において、長手方向に連続してループ状面ファスナ５２を配置した場合、成人男性、成人女性、子供あるいは老人のように複数種類の擬似患者体２を用意した場合において、体型の異なる擬似患者体２においてフック状面ファスナ５１の位置が異なっても、診療台３に擬似患者体２を確実に係止でき、医療用実習装置１としての利便性が向上する。
【００７８】
なお、擬似患者体２は成人女性患者を模した外観を有するが、これに限定されず、上述したように、成人男性、子供あるいは老人を模した外観を有する擬似患者体２であってもよい。しかしながら、一般的に男性患者より女性患者の方が、治療や不要な接触に対して敏感に反応することが知られているため、女性を模した外観形状の擬似患者体２を用いることで、実習者は緊張感を持って実習に取り組むことができる。
【実施例２】
【００７９】
以下において、第２実施形態の医療用実習装置１について図４乃至６とともに説明する。  
なお、図４は第２実施形態の医療用実習装置１の斜視図による説明図を示し、図５は第２実施形態の医療用実習装置１の概略断面図による説明図を示し、図６は第２実施形態における医療用実習装置１として使用しない状態の医療用診療台３の斜視図を示している。
【００８０】
詳しくは、図４は擬似患者体２を診療台３の上方に配置した状態の第２実施形態の医療用実習装置１の斜視図を示している。また、図５（ａ）は診療前ポジションにおける第２実施形態の医療用実習装置１の概略断面図を示し、図５（ｂ）は診療中ポジションにおける第２実施形態の医療用実習装置１の概略断面図を示している。
【００８１】
第１実施形態の医療用実習装置１では、面ファスナ５０によって擬似患者体２と診療台３とを係止させたが、図４，５に示すように、第２実施形態の医療用実習装置１は、擬似患者体２の背面側、つまり診療台３における載置許容面３１に当接する当接部分に、背面側から突出する係着凸部６１（係着手段に対応）を備え、診療台３に係着凸部６１の係着を許容する被係着部である係着孔６２を備えている。
【００８２】
さらには、第１実施形態の医療用実習装置１では、擬似患者体２の背面側から延出させた駆動源供給管路２３及び通信ケーブル２４を、診療台３の近傍に配置した操作ボックス４０の流体管路４３及び電気線束４４に接続したが、第２実施形態の医療用実習装置１は、情報処理装置４自体を診療台３に内蔵する、あるいは、別の位置に配置し、流体管路４３及び電気線束４４の先端を載置許容面３１から露出させ、図５に示すように、診療台３の載置許容面３１と擬似患者体２の背面との間で接続するよう構成している。
【００８３】
詳しくは、擬似患者体２の臀部対応部分２ｅに、背面側に突出する略円筒状の係着凸部６１を備え、診療台３の座部シート３ａにおける背板シート３ｂ側端部に、係着凸部６１の挿入を許容する係着孔６２を備えている。また、背板シート３ｂにおける座部シート３ａ側端部に、コネクタ部４３ａ，４４ａごと流体管路４３及び電気線束４４の先端の通過を許容するケーブル孔６４を備え、ケーブル孔６４から流体管路４３及び電気線束４４を引き出して、露出させる。
【００８４】
擬似患者体２を診療台３の載置許容面３１に載置する際には、係着凸部６１を係着孔６２に挿入するとともに、診療台３の載置許容面３１と擬似患者体２の背面との間で、接続コネクタ２３ａ，２４ａとコネクタ部４３ａ，４４ａとを接続する。
【００８５】
この様な構成により、第２実施形態の医療用実習装置１は、臀部対応部分２ｅに備えた係着凸部６１と、診療台３の座部シート３ａに形成した係着孔６２とが係着するため、診療前ポジション（図５（ａ））と診療中ポジション（図５（ｂ））とを移行するため座部シート３ａに対して背板シート３ｂを起こしたり、寝かしたりしても、診療台３に対して擬似患者体２が位置ズレすることなく、安心して実習することができる。
【００８６】
また、係着凸部６１と係着孔６２とで構成する係着手段６０を備えたことにより、例えばボルト等の締結手段で、載置した擬似患者体２と診療台３とを接続固定する場合と比べて、容易に擬似患者体２を取り換えることができる。
【００８７】
さらにまた、背板シート３ｂにおける座部シート３ａ側端部に、コネクタ部４３ａ，４４ａとともに流体管路４３及び電気線束４４の先端の通過を許容するケーブル孔６４を備え、ケーブル孔６４から流体管路４３及び電気線束４４を引き出し、診療台３の載置許容面３１と擬似患者体２の背面との間で、接続コネクタ２３ａ，２４ａとコネクタ部４３ａ，４４ａとを接続するため、接続状態にある接続コネクタ２３ａ，２４ａとコネクタ部４３ａ，４４ａとが、診療台３に擬似患者体２を載置した状態で外観上露出しないため、実習の臨場感を向上することができる。
【００８８】
また、擬似患者体２を載置せず、診療台３を通常の医療用診療台として用いる場合において、図６に示すように、係着孔６２及びケーブル孔６４を塞ぐ挿入ブロック６３，６５（露出回避手段に対応）を備え、流体管路４３及び電気線束４４を内部に押し戻して、係着孔６２及びケーブル孔６４を挿入ブロック６３，６５で塞いでもよい。これにより、通常の医療用診療台として不要な孔が埋まり、通常の医療用診療台として診療台３を違和感なく用いることができる。
【００８９】
なお、係着凸部６１を円筒状に形成し、係着孔６２に挿入して係着させたが、係着凸部６１をフック状に形成し、座部シート３ａと背板シート３ｂとの間に挿入して係着させてもよい。
【００９０】
また、流体管路４３及び電気線束４４は、背板シート３ｂにおける座部シート３ａ側端部に設けたケーブル孔６４に挿通する例を示したが、この他にも、流体管路４３のコネクタ部４３ａ及び電気線束４４のコネクタ部４４ａのいずれか一方または双方を、擬似患者体の腕部模型２ｃの載置を許容する不図示のアームレスト、あるいは、医療用診療台３の側部に配設する不図示のスピットンユニットに設けてもよい。
【００９１】
その場合、流体管路４３あるいは電気線束４４は、アームレストやスピットンユニットの内部を挿通し、あるいは各部の陰に隠れるように取り回される。また、各コネクタ部４３ａ，４４ａを覆う蓋やシャッターなどのカバー部材（露出回避手段に対応）を設けることで、擬似患者体２を載置せず、診療台３を通常の医療用診療台として用いる場合であっても、違和感なく診療台３を用いることができる。
【実施例３】
【００９２】
続いて、第３実施形態の医療用実習装置１について図７とともに説明する。  
なお、図７は第３実施形態の医療用実習装置１の概略断面図による説明図を示している。また、図７（ａ）は診療前ポジションにおける第３実施形態の医療用実習装置１の概略断面図を示し、図７（ｂ）は診療前ポジションにおける第３実施形態の変形例の医療用実習装置１の概略断面図を示している。
【００９３】
上述の説明では、第１実施形態の医療用実習装置１では面ファスナ５０によって擬似患者体２と診療台３とを係止させ、第２実施形態の医療用実習装置１では、係着手段６０で擬似患者体２と診療台３とを係着させたが、図７（ａ）に示すように、第３実施形態の医療用実習装置１は擬似患者体２の背面側、つまり診療台３における載置許容面３１に当接する当接部分に、背面側から突出するとともに診療台３の幅方向に配置した係止レール７１（係着手段及び係止手段に対応）を備え、診療台３の載置許容面３１に係止レール７１の係止を許容する被係止溝部７２（被係着部及び被係止手段に対応）を備えている。
【００９４】
詳しくは、図７（ａ）のａ部拡大図に示すように、第３実施形態の医療用実習装置１の擬似患者体２は、胴体模型２ｂの背面、つまり背板シート３ｂの載置許容面３１に当接する当接部分に、幅方向に配置され、胴体模型２ｂの背面から突出する係止レール７１を備えている。また、第３実施形態の医療用実習装置１の診療台３は、擬似患者体２の係止レール７１に対応する背板シート３ｂの載置許容面３１に、幅方向に配置され、背板シート３ｂの載置許容面３１より断面内側に凹状の被係止溝部７２を備えている。
【００９５】
擬似患者体２を診療台３の載置許容面３１に載置する際には、診療台３の幅方向側方より、擬似患者体２の係止レール７１を診療台３の被係止溝部７２に嵌め込み、幅方向にスライドさせて、擬似患者体２を診療台３に載置する。
【００９６】
この様な構成により、第３実施形態の医療用実習装置１は、胴体模型２ｂに備えた係止レール７１と、診療台３の背板シート３ｂに形成した被係止溝部７２とが係止するため、診療前ポジション（図７（ａ））と診療中ポジション（図示省略）とを移行するため座部シート３ａに対して背板シート３ｂを起こしたり、寝かしたりしても、診療台３に対して擬似患者体２が体軸方向に位置ズレすることなく、安心して実習することができる。
【００９７】
なお、第３実施形態の変形例として、図７（ｂ）及びｂ部拡大図に示すように、擬似患者体２の胴体模型２ｂの背面側に被係止溝部７２を備え、背板シート３ｂの載置許容面３１に係止レール７１を備え、係止レール７１と被係止溝部７２とを係止させて擬似患者体２を診療台３に載置してもよい。さらには、係止レール７１と被係止溝部７２とで構成する係止手段７０を胴体模型２ｂ及び背板シート３ｂに備えずとも、脚部模型２ｄ及び座部シート３ａ、あるいは、頭部模型２ａとヘッドレスト３ｃに備えてもよい。
【実施例４】
【００９８】
続いて、第４実施形態の医療用実習装置１について図８とともに説明する。  
なお、図８は第４実施形態の医療用実習装置１の斜視図による説明図を示している。詳しくは、図８は擬似患者体２を診療台３の上方に配置した状態の第４実施形態の医療用実習装置１の斜視図を示している。
【００９９】
上述の説明では、第１実施形態の医療用実習装置１では面ファスナ５０によって擬似患者体２と診療台３とを係止させ、第２実施形態の医療用実習装置１では、係着手段６０で擬似患者体２と診療台３とを係着させ、第３実施形態の医療用実習装置１では、係止手段７０で擬似患者体２と診療台３とを係着させたが、図８に示すように、第４実施形態の医療用実習装置１は擬似患者体２の背面側、つまり診療台３における載置許容面３１に当接する当接部分と、載置許容面３１との間に、係着手段として機能する粘着シート８０を挟み込んで係着している。
【０１００】
詳しくは、図８に示すように、粘着シート８０は、可撓性を有する平面視正方形状のシート体であり、両表面が粘着性を有している。なお、粘着シート８０は、露出回避手段としても機能するように、貼付けと剥がしとを繰り返し行うことのできる粘着性を有するものである。
【０１０１】
擬似患者体２を診療台３の載置許容面３１に載置する際には、載置許容面３１の所定の場所に粘着シート８０を貼付けてから擬似患者体２を載置する。  
この様な構成により、第４実施形態の医療用実習装置１は、擬似患者体２の背面が、粘着性を有する粘着シート８０を介して、診療台３の載置許容面３１に係着するため、診療前ポジションと診療中ポジションとを移行するため座部シート３ａに対して背板シート３ｂを起こしたり、寝かしたりしても、診療台３に対して擬似患者体２が位置ズレすることなく、安心して実習することができる。
【０１０２】
なお、粘着シート８０は、貼付け位置を問わないため、擬似患者体２の形状に応じた任意の場所に貼付ければよく、容易に係着することができる。また、粘着シート８０は、貼付けと剥がしとを繰り返し行うことのできる粘着性を有するものであるため、粘着シート８０を剥がせば、擬似患者体２を載置せず、診療台３を通常の医療用診療台として違和感なく用いることができる。
【０１０３】
この発明の構成と、上述の実施形態との対応において、
この発明の屈曲部は、座部シート３ａと背板シート３ｂとの間、及び背板シート３ｂとヘッドレスト３ｃの間に対応し、
以下同様に、
医療用診療台は、診療台３に対応し、
擬似患者体は、擬似患者体２に対応し、
可動部は、関節機構２１に対応し、
診療台載置許容面は、載置許容面３１に対応し、
当接部分は、臀部対応部分２ｅや胴体模型２ｂの背面に対応し、
係着手段は、面ファスナ５０、係着手段６０の係着凸部６１、係止手段７０、粘着シート８０に対応し、
当接対応部分は、載置許容面３１における所定部分に対応し、
被係止手段は、被係止溝部７２あるいはループ状面ファスナ５２に対応し、
係止手段は、係止レール７１あるいはフック状面ファスナ５１に対応し、
制御部は、情報処理装置４に対応し、
診療台側コネクタは、コネクタ部４３ａ，４４ａに対応し、
被係着部は、係着孔６２、及び載置許容面３１に対応し、
露出回避手段は、挿入ブロック６３、不使用時に剥がせる粘着シート８０に対応するが、この発明は、上述の実施形態の構成のみに限定されるものではなく、多くの実施の形態を得ることができる。
【０１０４】
例えば、擬似患者体２を診療台３に係着させる係着手段として、剥離可能な接着剤、載置許容面３１に対して吸着する吸盤、あるいは診療台３に対して吸着する永久磁石や電磁石等とすることができる。また、係止手段及び被係止手段として、線状のファスナ、ホックボタン、スナップボタン等で構成することができる。
【０１０５】
また、医療用実習装置として使用しない場合に、ループ状面ファスナ５２や被係止溝部７２等の被係止手段が形成された座部シート３ａや背板シート３ｂを、被係止手段を備えていない座部シート３ａや背板シート３ｂに交換する構成であってもよい。
【０１０６】
また、擬似患者体２を頭部模型２ａと胴体模型２ｂだけで構成し、頭部模型２ａをヘッドレスト３ｃに対して係着・係止したり、胴体模型２ｂを背板シート３ｂに対して係着・係止したりして、実習してもよい。
【産業上の利用可能性】
【０１０７】
この発明は、擬似患者体と、医療用診療台とを用いるような様々な医療用実習装置として、医療教育、特に歯科医療の教育において用いることができる。
【符号の説明】
【０１０８】
１…医療用実習装置
２…擬似患者体
２ｂ…胴体模型
２ｄ…脚部模型
２ｅ…臀部対応部分
３…診療台
３ａ…座部シート
３ｂ…背板シート
３ｃ…ヘッドレスト
４…情報処理装置
２１…関節機構
２３ａ，２４ａ…接続コネクタ
３１…載置許容面
４３ａ，４４ａ…コネクタ部
５０…面ファスナ
５１…フック状面ファスナ
５２…ループ状面ファスナ
６０…係着手段
６２…係着孔
６３…挿入ブロック
７０…係止手段
７１…係止レール
７２…被係止溝部
８０…粘着シート
【図１】
0005814665.tif 000002
【図２】
0005814665.tif 000003
【図３】
0005814665.tif 000004
【図４】
0005814665.tif 000005
【図５】
0005814665.tif 000006
【図６】
0005814665.tif 000007
【図７】
0005814665.tif 000008
【図８】
0005814665.tif 000009